(57)【特許請求の範囲】
【請求項１】
貫通孔を有する筒状部を備えたケースと、前記ケースの貫通孔に挿入される逆止カートリッジ本体と、前記逆止カートリッジ本体を前記ケース本体に取付ける、筒状部を有する取付け部材とを備え、前記逆止カートリッジ本体は、非閉鎖型のハウジングと、該ハウジングの一端側開口部に設けられた弁座部材と、前記ハウジング内に収納された弁体と、該弁体を前記弁座部材に向けて付勢するバネとを備え、前記逆止カートリッジ本体は、前記弁座部材側において前記取付け部材の筒状部内側に形成されたカートリッジ嵌合部に嵌り、前記弁座部材と反対の側から前記ケースの前記貫通孔に挿入され、前記取付け部材が前記ケースの前記筒状部にネジ結合により着脱自在に取付けられることを特徴とする、逆止弁。
【請求項２】
請求項１記載の逆止弁おいて、前記カートリッジ本体は、前記取付け部材の前記カートリッジ嵌合部に取外し可能に嵌っていることを特徴とする、逆止弁用カートリッジ。
【請求項３】
請求項２記載の逆止弁において、前記弁座部材は、前記弁体が離着座するゴム製の弁座部を備え、前記弁座部材はさらに、前記弁座部と一体に形成され、径方向外方へ拡がる拡径部を備え、前記取付け部材の前記カートリッジ嵌合部内周には前記拡径部が嵌る円周方向に延びる溝が形成されていることを特徴とする、逆止弁用カートリッジ。
【請求項４】
水道の配管或いは機器の接続部に挿入して使用する逆止弁用カートリッジにおいて、前記逆止弁用カートリッジは、前記配管或いは機器の接続部に挿入される逆止カートリッジ本体と、前記逆止カートリッジ本体を前記配管或いは機器の接続部に取付ける、筒状部を有する取付け部材とを備え、前記逆止カートリッジ本体は、非閉鎖型のハウジングと、該ハウジングの一端側開口部に設けられた弁座部材と、前記ハウジング内に収納された弁体と、該弁体を前記弁座部材に向けて付勢するバネとを備え、前記逆止カートリッジ本体は、前記弁座部材側において前記取付け部材の筒状部内側に形成されたカートリッジ嵌合部に嵌り、前記弁座部材と反対の側から前記配管又は機器の接続部に挿入され、前記取付け部材が前記配管或いは機器の接続部にネジ結合により着脱自在に取付けられることを特徴とする、逆止弁用カートリッジ。
【請求項５】
請求項４記載の逆止弁用カートリッジにおいて、前記カートリッジ本体は、前記取付け部材の前記カートリッジ嵌合部に取外し可能に嵌っていることを特徴とする、逆止弁用カートリッジ。
【請求項６】
請求項５記載の逆止弁用カートリッジにおいて、前記弁座部材は、前記弁体が離着座するゴム製の弁座部を備え、前記弁座部材はさらに、前記弁座部と一体に形成され、径方向外方へ拡がる拡径部を備え、前記取付け部材の前記カートリッジ嵌合部内周には前記拡径部が嵌る円周方向に延びる溝が形成されていることを特徴とする、逆止弁用カートリッジ。
【発明の詳細な説明】
【０００１】
【産業上の利用分野】
本発明は水道の配管或いは機器の連結部等に挿入して取付け固定して、流体の逆流を防止する逆止弁用カートリッジに関し、さらに詳細に言えば、取り外しが容易にでき、メンテナンスを行うに便宜な逆止弁用カートリッジに関する。さらに本発明は、そのようなカートリッジを用いた逆止弁に関する。
【０００２】
【従来の技術】
従来、流体の逆流を防止するための逆止弁としては各種使用されているが、その様な逆止弁の一つとして、例えば水道の配管の途中に挿入して、適宜位置に取付け固定して使用する、カートリッジ式逆止弁がある。ここでは図２に示す例をもって説明する。
【０００３】
図２は、逆止弁用カートリッジ２１を使用して構成した単式逆止弁１の断面図である。このカートリッジ２１は、円環状の弁座部材２３と、ハウジング２５と、弁体２７とを備えている。ハウジング２５の底部は、中央のハブ２９と、このハブ２９から半径方向へ延びる複数本のアーム３１と、アーム３１の外方端部を連結する底部円環部３３とで構成されている。ハウジング２５の側部は、この底部円環部３３からアーム３１に直交する方向に延びる複数本のリブ３５により構成され、リブの他端部は弁座部材２３を取り付けるための円環状の弁座部材取付け部３７に結合している。従って、ハウジング２５は、弁座部材２３の流体入口あるいは開口２４から流入する流体が、リブ３５の間及びアーム３１の間を通って流れることの出来る非閉鎖状の形態をしている。弁座部材取付け部３７の断面形状は図示の如く外側に開いた溝を備えた形状になっている。
【０００４】
ハブ２９にリブ３５と同じ方向に延びてポスト３９が形成され、これに弁体２７の中央部に形成された盲孔２８が嵌合し、弁体２７はポスト３９に沿って摺動自在になっている。そして付勢手段としてポスト３９を囲繞するように配置されたバネ４１により、弁座部材２３に向けて付勢されている。
【０００５】
弁座部材２３は、例えばステンレス鋼やりん青銅等の材料で作られた金属製のリング４３と、これに一体に被覆成形されたゴム製の被覆体即ちパッキン４５とで構成されている。この被覆体４５は、弁体２７が離着座する封止部４７と、金属リング４３の内径部を被覆する内径被覆部４９と、金属リング４３の外側側面を覆う外端面被覆部５１とを備え、図示の如く金属リング４３を抱き込むように形成されている。また、封止部４７の外側には、ハウジングの弁座部材取付け部３７の断面形状に対応した形状の取付け部５０が形成されており、図示のようにこの弁座部材２３はハウジング２５に取り付けられる。なお、外端面被覆部５１を形成する代わりに、Ｏリング或いは平パッキンを配置する構成も可能である。
【０００６】
符号２はカートリッジ２１を内部に収納するケース或いは本体であり、内部に形成された肩部３３に、カートリッジ２１のハウジング２５の底部円環部３３が当接して位置決めされ、保持される。符号５は、螺子部７で本体２に結合されたソケットで、螺子部７を締めつけることにより、その当接面６が弁座部材２３の外端面被覆部５１を押圧し、この部分をソケット５の当接面６と金属リング４３と、本体２の内周面１１との間で圧縮して封止している。なお、その締めつけ量は、本体２の端面４により制限される。この場合、ソケットの当接面６との間をシールし、上流側の水が本体の端面４とソケットの当接面６との間から漏れるのを防止するばかりでなく、弁体２７が封止部４７に当接し逆流を防止している場合にも、本体２の内周面１１をシールしているので、下流側の水が漏れるのを防止する機能を果たしている。符号８は、直結リング９を介してソケットに取り付けられた袋ナットである。本体２の外螺子部及び袋ナット８の内螺子部にはそれぞれ他の配管或いは機器が取り付けられる。
【０００７】
【発明が解決しようとする課題】
上記の如き構成にかかる従来の逆止弁用カートリッジ２１においては、カートリッジ２１のメンテナンスを行う為にソケット５を外しても、パッキン４５あるいはＯリング、平パッキン等がきつく本体に嵌まっており、また、パッキン等の本体２の端面４からの突出している部分も封止時の圧縮代だけであるのできわめて短く、このカートリッジ２１を外そうとしても容易に外すことが出来ない。従って、本体２に取り付けられている配管或いは機器との結合も外す必要が生じる。しかし、このタイプのカートリッジ２１は、図示の例の様な形での使用ばかりではなく、配管の色々の部分に使用され、例えば図示の本体２の代わりにもっと長い管状部材の端部に取り付けられる場合もあり、そのような場合、この部材に結合された配管あるいは機器を外しても、逆止弁２１の取り外しは容易ではない。
【０００８】
本発明は上記問題点に鑑みなされたものであり、取り付けた配管或いは機器から容易に取り外しの出来る逆止弁用カートリッジを提供することを目的とする。また、そのようなカートリッジを用いた逆止弁を提供するもその目的である。
【０００９】
【課題を解決するための手段】
上記課題を解決するために本発明は、貫通孔を有する筒状部を備えたケースと、ケースの貫通孔に挿入される逆止カートリッジ本体と、逆止カートリッジ本体をケース本体に取付ける、筒状部を有する取付け部材とを備えた逆止弁を提供する。その逆止カートリッジ本体は、非閉鎖型のハウジングと、該ハウジングの一端側開口部に設けられた弁座部材と、ハウジング内に収納された弁体と、該弁体を弁座部材に向けて付勢するバネとを備える。そしてその逆止カートリッジ本体は、弁座部材側において取付け部材の筒状部内側に形成されたカートリッジ嵌合部に嵌り、弁座部材と反の対側からケースの貫通孔に挿入され、取付け部材はケースの筒状部にネジ結合により着脱自在に取付けられる。
【００１０】
上記課題を解決するために本発明はさらに、水道の配管或いは機器の接続部に挿入して使用する、改良された逆止弁用カートリッジを提供する。その逆止弁用カートリッジは、配管或いは機器の接続部に挿入される逆止カートリッジ本体と、逆止カートリッジ本体を配管或いは機器の接続部に取付けるための、筒状部を有する取付け部材とを備えている。逆止カートリッジ本体は、非閉鎖型のハウジングと、該ハウジングの一端側開口部に設けられた弁座部材と、ハウジング内に収納された弁体と、該弁体を弁座部材に向けて付勢するバネとを備えている。そして逆止カートリッジ本体は、弁座部材側において取付け部材の筒状部内側に形成されたカートリッジ嵌合部に嵌り、弁座部材と反対の側から配管又は機器の接続部に挿入され、取付け部材は記配管或いは機器の接続部にネジ結合により着脱自在に取付けられるようになっている。
【００１１】
さらに具体的な実施の形態では、取付け部材の筒状部に取付け嵌合部が形成され、取付け部材は、該取付け嵌合部が配管又は機器の接続部の孔に挿入されることにより配管または機器の接続部に取付けられる。さらに具体的には、取付け部材の取付け嵌合部にはおねじが形成され、該おねじが配管または機器の接続部に形成されためねじに螺合するようになっている。
他の具体的実施の形態では、そのカートリッジ本体は、取付け部材のカートリッジ嵌合部に取外し可能に嵌っている。さらには、その弁座部材は、弁体が離着座するゴム製の弁座部を備え、弁座部材はさらに、弁座部と一体に形成され、径方向外方へ拡がる拡径部を備え、この拡径部が、取付け部材のカートリッジ嵌合部内周に形成された円周方向に延びる溝に嵌るようになっている。
【００１２】
【実施の形態】
以下、図面に基づき本願発明の具体的実施の形態を説明するが、本願発明の範囲は以下に説明される実施の形態に限定されるのではない。
【００１３】
図１は、本発明の具体的実施の形態にかかる逆止弁用カートリッジ７１を使用して構成した単式逆止弁６１の断面図である。なお、図２の従来例と同様の部材には同じ参照番号を使用し、その詳細な説明は省略する。
【００１４】
このカートリッジ７１はカートリッジ本体７２と取付け部材としてのカバー体７３とからなり、そのカートリッジ本体７２は、図２の従来例のカートリッジ２１と同様の部材を備えている。即ちカートリッジ本体７２は、ハブ２９、アーム３１、底部円環部３３、リブ３５、弁座部材取付け部３７、ポスト３９等を備えたハウジング２５と、このハウジング２５の弁座部材取付け部３７に取付けられる、金属リング４３と、弁座部となる封止部４７、内径被覆部４９、外端被覆部５１とを備えた被覆体４５とから構成される弁座部材２３と、ポスト３９に案内される弁体２７と、付勢手段としてのバネ４１とを備えている。
【００１５】
本実施の形態におけるカートリッジ７１は、さらに、取付け部材としての大略リング状のカバー体７３を備えている。カバー体７３は、第１の円環部７５を備え、その中心部の孔７６は弁座部材２３の開口２４に通じている。第２の円環部７９が第１の円環部７５に連接して設けられている。この第２の円環部７９の内周８０の寸法は、孔７６のそれよりも大きい。カバー体７３はさらに、第１の円環部７５から第２の円環部７９と反対側の側面側で外方へ広がるフランジ８３を備えている。そして図示のように、第２の円環部７９の内周８０は、弁座部材２３の外端被覆部５１の外周部から金属リング４３の外周部を越えて被覆体４５或いは弁座部材２３の外周部に嵌合している。他方、第１の円環部７５の第２の円環部７９側の側面は、外端被覆部５１の外側面に当接する当接面７７となる。
【００１６】
上記のように構成されたカートリッジ７１を、従来例と同じように本体２内に挿入する。その際、カバー体７３の第１円環部と第２円環部の外周に形成された雄ねじ８８と、本体２の内周側に形成された雌ねじ８９を螺合させて、カートリッジ７１を本体２内に進入させる。そして、ハウジング２５の底部円環部３３を本体２内部の肩部３に当接させ、また、弁座部材の被覆体４５の外端被覆部５１を圧縮する。これにより、カバー体７３の第２円環部７９の内周部８０と、第１円環部７５の当接面７７は封止される。フランジ８３はその内側面８４が本体２の端面４に当接して、カートリッジ７１の本体２内への進入を制限する。符号８５は、カバー体７３と本体２の螺合する螺子部に配置されたシール用のＯリングである。
【００１７】
ソケット５は、その従来例と同じように螺子部７において本体２に取り付けられる。その際、カバー体７３の第１円環部７５の外側面７８に形成された溝に収受されたＯリング８７を圧縮してこの部分で封止する。
【００１８】
なお、図１に示される弁座部材２３の被覆体４５の外端被覆部５１の外径を更に大きく拡大し、この部分に対応するカバー体７３の内周部分に円周方向に延びる溝を形成し、この溝に外端被覆部５１の拡大した部分を嵌め込むようにすることもでき、これにより、カバー体７３と弁座部材２３との結合がより確かなものとなり、取付け或いは取り外し作業中の相互の脱落がより確実に防止できる。
【００１９】
【発明の効果】
以上説明したとおり、本願発明に係る逆止弁用カートリッジにおいては、従来のカートリッジとは異なり、弁座部材のシール部の外周及び外端面部を封止するように機能するカバー体を設け、このカバー体を以て例えば配管端部に取り付けるようにしたので、カートリッジの取り外しが容易にでき、メンテナンス作業或いはカートリッジの交換作業を行う上できわめて便利である。
【図面の簡単な説明】
【図１】本発明の実施の形態に係る逆止弁用カートリッジを使用した単式逆止弁の断面図である。
【図２】従来の逆止弁用カートリッジを使用した単式逆止弁の断面図である。
【符号の説明】
６１  単式逆止弁
７１  逆止弁用カートリッジ
２３  弁座部材
２５  ハウジング
２７  弁体
４１  バネ
５１  外端被覆部（シール部）
７３  カバー体（取付け部材）
７５  第１の円環部
７５  第２の円環部
８３  フランジ
８７  雄ねじ（取付け部）
【図１】
0003989062.tif 000002
【図２】
0003989062.tif 000003